(57)【要約】【課題】ＦＸ自動売買ソフトに用いられる質の高いパラメータを取得して、良好な為替取引を可能とする外国為替取引支援システムを提供すること。【解決手段】ＦＸ自動売買ソフトに種々の設定パラメータを設定して、自動で取引を行う外国為替取引を支援する外国為替取引支援システム１であって、取引者識別情報と設定パラメータと為替取引結果を用いて、為替取引者別にパラメータ使用継続期間、該パラメータ使用継続期間内で決済されたそれぞれの為替取引におけるあらかじめ定められた取引単位当たりの為替取引成績を算出するパラメータ取引成績算出部３３と、パラメータ取引成績算出部３３にて算出された為替取引者別のパラメータ使用継続期間、為替取引成績を送信するパラメータ取引成績表示データ送信部３６等とを具備してなる。【選択図】図１
2012053616.tif 000002
【特許請求の範囲】
【請求項１】
ＦＸ自動売買ソフトに種々の設定パラメータを設定して、自動で取引を行う外国為替取引を支援する外国為替取引支援システムであって、
為替取引者の取引者識別情報と為替取引者が為替取引の際に設定する前記設定パラメータと為替取引者の為替取引結果を受信する受信手段と、
該受信手段が受信した前記取引者識別情報と前記設定パラメータと前記為替取引結果を記憶する取引者情報記憶手段と、
該取引者情報記憶手段に記憶された前記取引者識別情報と前記設定パラメータと前記為替取引結果を用いて、為替取引者別にパラメータ使用継続期間、該パラメータ使用継続期間内で決済されたそれぞれの為替取引におけるあらかじめ定められた取引単位当たりの為替取引成績を算出するパラメータ取引成績算出手段と、
該パラメータ取引成績算出手段により算出された為替取引者別の前記パラメータ使用継続期間、前記為替取引成績を記憶するパラメータ取引成績記憶手段と、
該パラメータ取引成績記憶手段に記憶された為替取引者別の前記パラメータ使用継続期間、前記為替取引成績を送信するパラメータ取引成績送信手段と、
を具備してなることを特徴とする外国為替取引支援システム。
【請求項２】
前記パラメータ取引成績算出手段は、前記取引者情報記憶手段に記憶された前記取引者識別情報と前記設定パラメータと前記為替取引結果を用いて、為替取引者の設定パラメータ別にパラメータ使用継続期間、該パラメータ使用継続期間内で決済されたそれぞれの為替取引におけるあらかじめ定められた取引単位当たりの為替取引成績を算出し、
前記パラメータ取引成績記憶手段は、前記パラメータ取引成績算出手段により算出された為替取引者の設定パラメータ別の前記パラメータ使用継続期間、前記為替取引成績を記憶し、
前記パラメータ取引成績送信手段は、前記パラメータ取引成績記憶手段に記憶された為替取引者の設定パラメータ別の前記パラメータ使用継続期間、前記為替取引成績を送信する、
請求項１に記載の外国為替取引支援システム。
【請求項３】
前記パラメータ取引成績算出手段は、一定期間内に得た為替取引成績が優れている順に、為替取引者別に前記為替取引成績と前記パラメータ使用継続期間を算出する請求項１に記載の外国為替取引支援システム。
【請求項４】
前記パラメータ取引成績算出手段により算出される為替取引成績は、あらかじめ定められた取引単位当たりの為替取引金銭的利益である請求項１〜３のいずれか一項に記載の外国為替取引支援システム。
【請求項５】
前記パラメータ取引成績算出手段により算出されるあらかじめ定められた取引単位としてピップスを用いる請求項４に記載の外国為替取引支援システム。
【請求項６】
前記パラメータ取引成績算出手段は、異なる一定期間内に得た前記為替取引成績別に、各為替取引者が一定期間内に得た前記為替取引成績と前記パラメータ使用継続期間を算出する請求項１、３〜５のいずれか一項に記載の外国為替取引支援システム。
【請求項７】
前記パラメータ取引成績算出手段により算出された各為替取引者別の前記為替取引成績を得るために使用された前記設定パラメータを購入するための設定パラメータ購入手段を、さらに備えた請求項１、３〜６のいずれか一項に記載の外国為替取引支援システム。
【請求項８】
ＦＸ自動売買ソフトに種々の設定パラメータを設定して、自動で取引を行う外国為替取引を支援する外国為替取引支援方法であって、
為替取引者の取引者識別情報と為替取引者が為替取引の際に設定する前記設定パラメータと為替取引者の為替取引結果を受信する受信工程と、
該受信工程により受信した前記取引者識別情報と前記設定パラメータと前記為替取引結果を記憶する取引者情報記憶工程と、
該取引者情報記憶工程により記憶された前記取引者識別情報と前記設定パラメータと前記為替取引結果を用いて、為替取引者別にパラメータ使用継続期間、該パラメータ使用継続期間内で決済されたそれぞれの為替取引におけるあらかじめ定められた取引単位当たりの為替取引成績を算出するパラメータ取引成績算出工程と、
該パラメータ取引成績算出工程により算出された為替取引者別の前記パラメータ使用継続期間、前記為替取引成績を記憶するパラメータ取引成績記憶工程と、
該パラメータ取引成績記憶工程により記憶された為替取引者別の前記パラメータ使用継続期間、前記為替取引成績を送信するパラメータ取引成績送信工程と、
を具備してなることを特徴とする外国為替取引支援方法。
【発明の詳細な説明】
【技術分野】
【０００１】
本発明は、外国為替取引者の為替取引を支援する外国為替取引支援システムおよび外国為替取引支援方法に関し、詳しくは、ＦＸ自動売買ソフトに種々の設定パラメータを設定して、自動で取引を行う外国為替取引を支援する外国為替取引支援システムおよび外国為替取引支援方法に関する。
【背景技術】
【０００２】
従来、外国為替取引への参加を２４時間可能にした為替取引支援装置が知られている。例えば、特許文献１には、顧客の為替取引を支援する為替取引支援装置において、為替取引業者側サーバから為替市場の為替レート情報を取り込み、時系列的に格納し記憶する為替レート情報格納手段と、売買ポイント生成プログラムを動作させて、上記為替レート情報格納手段に記憶されている為替レート情報の時間に対する変化を認識し、その変化に所定の特徴が見出された時点を為替の売買を行う最適タイミングであると判別し、その最適タイミングを売買ポイントとして生成する売買ポイント生成手段と、上記売買ポイント生成手段で生成された売買ポイントを顧客の情報端末に配信し顧客に伝達する売買ポイント配信手段と、上記売買ポイントが到来したとき、為替取引業者側サーバに売買を決済させる旨の情報を送信し自動的に売買を決済させる自動売買約定手段と、各プログラマーにより作成され出品された売買ポイント生成プログラムをＷｅｂ公開して一覧に供するプログラム公開手段と、上記公開された売買ポイント生成プログラムのうち、顧客が選択購入し使用するように指定してきたプログラムの作成者に代価の支払い処理を行う支払い処理手段と、を備え、上記売買ポイント生成手段が動作させる売買ポイント生成プログラムは、上記支払い処理手段によって代価が支払われたプログラムである為替取引支援装置が開示されている。
【０００３】
そして、特許文献１に開示される為替取引支援装置によれば、顧客（為替取引者）は、プログラマーが作成した最適タイミングで為替の売買できる売買ポイント生成プログラムを用いて為替取引市場への参加が２４時間可能となる。
【先行技術文献】
【特許文献】
【０００４】
【特許文献１】特開２００９−３１８２６号公報
【発明の概要】
【発明が解決しようとする課題】
【０００５】
しかしながら、上述した特許文献１に開示される為替取引支援装置では、プログラマーが作成した売買ポイント生成プログラムを購入して為替取引を行うため、その売買ポイント生成プログラムを使用して為替取引を行う取引者（為替取引者）は、同じ売買ポイントにて為替取引を行うこととなる。そのため、同じ売買ポイント生成プログラムを使用する為替取引者が多くなってくると、その売買ポイント生成プログラムの動作が解読され、改良した新売買ポイント生成プログラムが開発され、その売買ポイント生成プログラムを使用しても利益を得ることができなくなる。また、他人が作成した売買ポイント生成プログラムなので、売買ポイント生成プログラム自体の改変も困難となり、折角購入した売買ポイント生成プログラムの使用価値がなくなってしまうという課題があった。
【０００６】
他方、今日では、為替取引を自動で行う為替取引ソフトが販売されており、かかる為替取引ソフトでは、そのソフトを使用する際に為替取引者自身で数多くのパラメータを設定する必要がある。設定するパラメータの如何により得られる利益が大きく異なってくるため、為替取引者は、優秀なパラメータ（利益を多く得ることができるパラメータ）を設定することが必要であるが、優秀なパラメータを設定できるようになるまでには多くの時間が必要であった。
【０００７】
本発明は上記問題点に鑑みてなされたもので、ＦＸ自動売買ソフトに用いられる質の高いパラメータを取得して、良好な為替取引を可能とする外国為替取引支援システムを提供することを目的とする。
【課題を解決するための手段】
【０００８】
上記課題を解決し上記目的を達成するために、本発明のうち第１の態様に係るものは、ＦＸ自動売買ソフトに種々の設定パラメータを設定して、自動で取引を行う外国為替取引を支援する外国為替取引支援システムであって、為替取引者の取引者識別情報と為替取引者が為替取引の際に設定する前記設定パラメータと為替取引者の為替取引結果を受信する受信手段と、該受信手段が受信した前記取引者識別情報と前記設定パラメータと前記為替取引結果を記憶する取引者情報記憶手段と、該取引者情報記憶手段に記憶された前記取引者識別情報と前記設定パラメータと前記為替取引結果を用いて、為替取引者別にパラメータ使用継続期間、該パラメータ使用継続期間内で決済されたそれぞれの為替取引におけるあらかじめ定められた取引単位当たりの為替取引成績を算出するパラメータ取引成績算出手段と、該パラメータ取引成績算出手段により算出された為替取引者別の前記パラメータ使用継続期間、前記為替取引成績を記憶するパラメータ取引成績記憶手段と、該パラメータ取引成績記憶手段に記憶された為替取引者別の前記パラメータ使用継続期間、前記為替取引成績を送信するパラメータ取引成績送信手段と、を具備してなるものである。
【０００９】
本発明によれば、為替取引者別に為替取引者が一定期間内に得た為替取引成績とパラメータ使用継続期間を送信するので、ＦＸ自動売買システムを用いて、為替取引者が設定パラメータを用いてどれだけ為替取引成績をあげているかを認識することができる。これにより、ＦＸ自動売買システムの設定パラメータのレベルを評価できるとともに、質の高い設定パラメータを使用したいと考える為替取引者は、高い為替取引成績を挙げている設定パラメータを購入などし、その設定パラメータを使用することができるとともに、該設定パラメータを参考として独自の設定パラメータを作成することができる。
【００１０】
本発明のうち第２の態様に係るものは、第１の態様に係る外国為替取引支援システムであって、前記パラメータ取引成績算出手段は、前記取引者情報記憶手段に記憶された前記取引者識別情報と前記設定パラメータと前記為替取引結果を用いて、為替取引者の設定パラメータ別にパラメータ使用継続期間、該パラメータ使用継続期間内で決済されたそれぞれの為替取引におけるあらかじめ定められた取引単位当たりの為替取引成績を算出し、前記パラメータ取引成績記憶手段は、前記パラメータ取引成績算出手段により算出された為替取引者の設定パラメータ別の前記パラメータ使用継続期間、前記為替取引成績を記憶し、前記パラメータ取引成績送信手段は、前記パラメータ取引成績記憶手段に記憶された為替取引者の設定パラメータ別の前記パラメータ使用継続期間、前記為替取引成績を送信するものである。
【００１１】
本発明によれば、為替取引者の設定パラメータ別に為替取引者が一定期間内に得た為替取引成績とパラメータ使用継続期間を送信するので、ＦＸ自動売買システムを用いて、為替取引者が設定パラメータを用いてどれだけ為替取引成績をあげているかを認識することができる。これにより、ＦＸ自動売買システムの設定パラメータのレベルを評価できるとともに、質の高い設定パラメータを使用したいと考える為替取引者は、高い為替取引成績を挙げている設定パラメータを購入などし、その設定パラメータを使用することができるとともに、該設定パラメータを参考として独自の設定パラメータを作成することができる。
【００１２】
本発明のうち第３の態様に係るものは、第１の態様に係る外国為替取引支援システムであって、前記パラメータ取引成績算出手段は、一定期間内に得た為替取引成績が優れている順に、為替取引者別に前記為替取引成績と前記パラメータ使用継続期間を算出するものである。
【００１３】
本発明によれば、一定期間内に得た為替取引成績が優れている順に、為替取引者別に為替取引成績とパラメータ使用継続期間が送信されるので、ＦＸ自動売買システムを用いて、大きな為替取引成績をあげている設定パラメータを容易に認識することができる。これにより、質の高い設定パラメータを使用したいと考える為替取引者は、その設定パラメータを購入などし、その設定パラメータを使用することができるとともに、該設定パラメータを参考として独自の設定パラメータを作成することができる。
【００１４】
本発明のうち第４の態様に係るものは、第１〜第３のいずれかの態様に係る外国為替取引支援システムであって、前記パラメータ取引成績算出手段により算出される為替取引成績は、あらかじめ定められた取引単位当たりの為替取引金銭的利益である。
【００１５】
本発明によれば、パラメータ取引成績算出手段により算出される為替取引成績が、あらかじめ定められた取引単位当たりの為替取引金銭的利益であるので、実際に得た為替取引金銭的利益を参考にして、質の高い設定パラメータを判断できる。これにより、質の高い設定パラメータを使用したいと考える為替取引者は、その設定パラメータを購入などし、その設定パラメータを使用することができるとともに、該設定パラメータを参考として独自に設定パラメータを作成することができる。
【００１６】
本発明のうち第５の態様に係るものは、第４の態様に係る外国為替取引支援システムであって、前記パラメータ取引成績算出手段により算出されるあらかじめ定められた取引単位としてピップスを用いるものである。
【００１７】
本発明によれば、あらかじめ定められた取引単位当たりの為替取引金銭的利益をピップス値を用いるので、通貨ペアが異なる場合でもピップス値で一元的に設定パラメータを評価することができる。これにより、質の高い設定パラメータを使用したいと考える為替取引者は、異なる通貨ペアの設定パラメータも纏めて購入などでき、それらの設定パラメータを使用することができるとともに、該設定パラメータを参考として独自に設定パラメータを作成することができる。
【００１８】
本発明のうち第６の態様に係るものは、第１、第３〜第５のいずれかの態様に係る外国為替取引支援システムであって、前記パラメータ取引成績算出手段は、異なる一定期間内に得た前記為替取引成績別に、各為替取引者が一定期間内に得た前記為替取引成績と前記パラメータ使用継続期間を算出するものである。
【００１９】
本発明によれば、異なる一定期間内に得た為替取引成績別に、各為替取引者が一定期間内に得た為替取引成績とパラメータ使用継続期間が送信されるので、短期的に質のよい設定パラメータや長期的に質のよい設定パラメータをそれぞれ区別して評価することができる。これにより、質の高い設定パラメータを使用したいと考える為替取引者は、短期的に質のよい設定パラメータと長期的に質のよい設定パラメータを使用態様に応じてそれぞれ区別して購入などし、その設定パラメータを使用することができるとともに、該設定パラメータを参考として独自に設定パラメータを作成することができる。
【００２０】
本発明のうち第７の態様に係るものは、第１、第３〜第６のいずれかの態様に係る外国為替取引支援システムであって、前記パラメータ取引成績算出手段により算出された各為替取引者別の前記為替取引成績を得るために使用された前記設定パラメータを購入するための設定パラメータ購入手段を、さらに備えたものである。
【００２１】
本発明によれば、各為替取引者別の為替取引成績を得るために使用された設定パラメータを購入するための設定パラメータ購入手段を備えているので、質の高い設定パラメータを使用したいと考える為替取引者は、設定パラメータ購入手段を用いて、購入することができる。これにより、為替取引者は質のよい設定パラメータを購入し、その設定パラメータを使用することができるとともに、該設定パラメータを参考として独自に設定パラメータを作成することができる。
【００２２】
本発明のうち第８の態様に係るものは、ＦＸ自動売買ソフトに種々の設定パラメータを設定して、自動で取引を行う外国為替取引を支援する外国為替取引支援方法であって、為替取引者の取引者識別情報と為替取引者が為替取引の際に設定する前記設定パラメータと為替取引者の為替取引結果を受信する受信工程と、該受信工程により受信した前記取引者識別情報と前記設定パラメータと前記為替取引結果を記憶する取引者情報記憶工程と、該取引者情報記憶工程により記憶された前記取引者識別情報と前記設定パラメータと前記為替取引結果を用いて、為替取引者別にパラメータ使用継続期間、該パラメータ使用継続期間内で決済されたそれぞれの為替取引におけるあらかじめ定められた取引単位当たりの為替取引成績を算出するパラメータ取引成績算出工程と、該パラメータ取引成績算出工程により算出された為替取引者別の前記パラメータ使用継続期間、前記為替取引成績を記憶するパラメータ取引成績記憶工程と、該パラメータ取引成績記憶工程により記憶された為替取引者別の前記パラメータ使用継続期間、前記為替取引成績を送信するパラメータ取引成績送信工程と、を具備してなるものである。
【００２３】
本発明によれば、為替取引者別に該為替取引者が一定期間内に得た為替取引成績とパラメータ使用継続期間を送信するので、ＦＸ自動売買システムを用いて、為替取引者が設定パラメータを用いてどれだけ為替取引成績をあげているかを認識することができる。これにより、ＦＸ自動売買システムの設定パラメータのレベルを評価できるとともに、質の高い設定パラメータを使用したいと考える為替取引者は、高い為替取引成績を挙げている設定パラメータを購入などし、その設定パラメータを使用することができるとともに、該設定パラメータを参考として独自の設定パラメータを作成することができる。
【発明の効果】
【００２４】
以上のように本発明の外国為替取引支援システムによれば、ＦＸ自動売買ソフトに用いられる質の高いパラメータを取得して、為替取引を可能とする。
【図面の簡単な説明】
【００２５】
【図１】本発明の一実施形態における外国為替取引支援システムの構成を示すブロック図である。
【図２】図１の取引者ＰＣの構成を示すブロック図である。
【図３】取引者識別情報を説明するための図である。
【図４】Ｓｔａｔｅｍｅｎｔ情報を説明するための図である。
【図５】設定パラメータを説明するための図である。
【図６】設定パラメータの入力画面を示す図である。
【図７】（ａ）通貨ペア別の獲得Ｐｉｐｓの週間ランキングの表示画面を示す図である。（ｂ）通貨ペア別の獲得Ｐｉｐｓの月間ランキングの表示画面を示す図である。（ｃ）通貨ペア別の獲得Ｐｉｐｓの週間ランキングの表示画面を示す図である。（ｄ）通貨ペア別の獲得Ｐｉｐｓの月間ランキングの表示画面を示す図である。
【図８】（ａ）通貨ペア別のプロフィットファクターの週間ランキングの表示画面を示す図である。（ｂ）通貨ペア別のプロフィットファクターの月間ランキングの表示画面を示す図である。（ｃ）通貨ペア別のプロフィットファクターの週間ランキングの表示画面を示す図である。（ｄ）通貨ペア別のプロフィットファクターの月間ランキングの表示画面を示す図である。
【図９】（ａ）通貨ペア混在の獲得Ｐｉｐｓの週間ランキングの表示画面を示す図である。（ｂ）通貨ペア混在の獲得Ｐｉｐｓの月間ランキングの表示画面を示す図である。（ｃ）通貨ペア混在の獲得Ｐｉｐｓのリアルタイムランキングの表示画面を示す図である。
【図１０】データ送信処理のフローチャートを示す図である。
【図１１】データ送信処理のサブルーチンプログラムであるＷｅｂシステム処理のフローチャートを示す図である。
【図１２】データ閲覧処理のフローチャートを示す図である。
【発明を実施するための形態】
【００２６】
以下、本発明の外国為替取引支援システムの一実施形態について図面を参照にしながら説明する。
【００２７】
図１に示すように、外国為替取引支援システム１は、為替取引に関する情報の提供などをオンラインで行うＷｅｂサイトを構築するサーバ装置２と、あらかじめ為替取引システム機関などから購入したＦＸ自動売買ソフトがインストールされ、通信網３を介して、サーバ装置２と通信可能な各為替取引者が所有する取引者ＰＣ４などから構成されている。
【００２８】
図２に示すように、取引者ＰＣ４は、それぞれの為替取引者が所有しており、ＣＰＵ５と、ＲＯＭ６と、ＲＡＭ７と、入出力ポート８を備えている。入出力ポート８には、ディスプレイ９（パラメータ取引成績表示部）と、マウス１０と、キーボード１１と、ＨＤＤ１２（Ｈａｒｄ  Ｄｉｓｋ  Ｄｒｉｖｅ）と、ＣＤ−ＲＯＭドライブ１３と、通信制御装置１４がそれぞれ接続されている。ＨＤＤ１２には、あらかじめ為替取引システム機関などから購入したＦＸ自動売買ソフトがインストールされている。通信制御装置１４は、通信網３に接続されており、取引者ＰＣ４とサーバ装置２とを通信可能としている。
【００２９】
なお、本実施例では、ディスプレイ９（パラメータ取引成績表示手段）を外国為替取引支援システム１の要素にしているが、これに限らず、ディスプレイ９を外国為替取引支援システム１の要素とせず、外国為替取引支援システム１はディスプレイ９に表示させる機能を有するに留めてもよい。
【００３０】
図１に戻って、サーバ装置２は、Ｗｅｂサーバ、アプリケーションサーバ及びデータベース等から構成される。本実施例のサーバ装置２は、Ｗｅｂサーバ、アプリケーションサーバ及びデータベースサーバ等が１つのサーバ装置で構成されるが、あるいはそれぞれ個別のサーバ装置で構成してもよい。サーバ装置２は、ＣＰＵや主メモリ、表示装置、入力装置、外部記憶装置等を具備したコンピュータ構成から成り、プログラムやデータが主メモリに読み込まれてＣＰＵで処理されることにより、後述する各処理部での機能が実現される。
【００３１】
本実施例のサーバ装置２は、為替取引者の為替取引成績などのパラメータ取引成績を算出し、その算出された為替取引成績などのパラメータ取引成績を保存管理するものであり、また、通信網３を介し取引者ＰＣ４にパラメータ取引成績を送信するものであり、通信制御部２５と、取引者認証部２６と、取引者情報認証記憶部２７と、取引者情報記憶部２８と、Ｗｅｂシステム処理完了信号送信部２９と、取引者情報取得部３２と、パラメータ取引成績算出部３３と、パラメータ取引成績記憶部３４と、パラメータ取引成績表示データ生成部３５と、パラメータ取引成績表示データ送信部３６等を備えている。
【００３２】
通信制御部２５は、取引者ＰＣ４の通信制御装置１４と通信網３を介して通信可能とされており、後述するように、通信制御装置１４より送信された為替取引者の取引者識別情報と為替取引者が為替取引の際に設定する設定パラメータと為替取引者の為替取引結果などが受信される。
【００３３】
取引者認証部２６とＷｅｂシステム処理完了信号送信部２９と取引者情報取得部３２とパラメータ取引成績算出部３３とパラメータ取引成績表示データ生成部３５とパラメータ取引成績表示データ送信部３６は、サーバ装置２を構成するアプリケーションサーバ内のプログラムにより構成され、取引者情報認証記憶部２７と取引者情報記憶部２８とパラメータ取引成績記憶部３４は、サーバ装置２を構成するデータベースやメモリ等により構成される。
【００３４】
取引者認証部２６は、取引者ＰＣ４から通信網３を介して送信された情報がどの為替取引者の情報であるかを認証するものである。具体的には、取引者ＰＣ４から送信された取引者識別情報と後述する取引者情報記憶部２８に記憶されている為替取引者を特定する情報を照合して、取引者ＰＣ４から送られてきた情報がどの為替取引者の情報かを特定する。
【００３５】
為替取引者の取引者ＰＣ４から通信網３を介して送信された取引者情報は、サーバ装置２において取引者情報認証記憶部２７に一時保存（記憶）される。取引者認証部２６では、取引者ＰＣ４から送信されて取引者情報認証記憶部２７に記憶された取引者情報と取引者情報記憶部２８に記憶されている取引者情報のうち、取引者識別情報（「為替取引者識別番号」と「為替取引者ＩＤ番号」と「為替取引者名」と「為替取引者口座番号」と「為替取引者が使用しているＦＸ取引業者名」など）が同一の場合に、特定の為替取引者と判断（認証）するようにしている。
【００３６】
取引者情報記憶部２８は、取引者認証部２６により認証された為替取引者の取引者情報（取引者識別情報と設定パラメータと為替取引結果）を記憶するデータベースである。これらの取引者識別情報と設定パラメータと為替取引結果は、取引者ＰＣ４から送信されサーバ装置２の通信制御装置（受信手段）により受信される。
【００３７】
ここで、本実施例における「設定パラメータ」とは、ＦＸ自動売買ソフトを用いて為替取引を行う際に、為替取引者が設定する種々のパラメータのことである。ＦＸ自動売買ソフトでは、多くの設定パラメータが設定された上で各種の為替取引が行われ、この設定パラメータの良し悪しにより為替取引結果が異なってくる。
【００３８】
Ｗｅｂシステム処理完了信号送信部２９は、取引者情報記憶部２８に為替取引者の取引者識別情報と設定パラメータと為替取引結果が記憶される度に、通信網３を介して記憶が完了した旨を取引者ＰＣ４（為替取引結果を送信した取引者ＰＣ４）に送信するものである。これにより、取引者ＰＣ４から送信された為替取引者の取引者識別情報と設定パラメータと為替取引結果が取引者情報記憶部２８に記憶されたことを取引者ＰＣ４（送信した取引者ＰＣ４）に知らせることができる。このようにすることにより、取引者ＰＣ４から重複した為替取引結果がサーバ装置２に送信されることがなくなるとともに、未送信の為替取引結果がもれなくサーバ装置２に送信されることになる。
【００３９】
取引者情報取得部３２は、後述する為替取引者から送信された閲覧要求信号の要求指令にしたがって、取引者情報記憶部２８から為替取引者の取引者情報（取引者識別情報と設定パラメータと為替取引結果など）を取得するものである。取引者情報記憶部２８から取得した取引者情報は、取引者情報取得部３２に一時保存（記憶）される。
【００４０】
パラメータ取引成績算出部３３は、後述する為替取引者から送信された閲覧要求信号の要求指令に基づいて、取引者情報取得部３２により取得された取引者情報（取引者識別情報と設定パラメータと為替取引結果）を用いて、為替取引者別にパラメータ使用継続期間、該パラメータ使用継続期間内で決済されたそれぞれの為替取引におけるあらかじめ定められた取引単位当たりの為替取引成績（例えば、獲得ピップス、プロフィットファクターなどの為替取引金銭的利益）などのパラメータ取引成績を算出するものである。
【００４１】
例えば、為替取引者からの閲覧要求信号の要求指令が通貨ペア別で週間獲得ピップスのランキングを求めるものであれば、その閲覧要求信号の要求指令にしたがって、週間獲得ピップスが大きい順（１位から１０位）に、取引回数、獲得ピップス、パラメータ継続使用期間などのパラメータ取引成績がパラメータ取引成績算出部３３により算出される。なお、本実施例では、後述するようにディスプレイ９に取引回数を表示させるようにしているので、パラメータ取引成績算出部３３で取引回数も算出しているが、ディスプレイ９に取引回数を表示させない場合はパラメータ取引成績算出部３３で取引回数を算出しなくてもよい。
【００４２】
ここで、本実施例では、「あらかじめ定められた取引単位」としてピップス（Ｐｉｐｓ）を用いている。ピップスとは、為替取引レートで使われている最小単位（呼び値（刻み値））のことをいい、それ以下の単位の金額では為替取引をすることはできない。例えば、ＵＳＤＪＰＹ（ドル／円）では１銭が１ピップスになる（「１ドル＝１０４．１５円」の「５」の部分）。この場合に、「１ドル＝１０４．１５円」から「１ドル＝１０４．１８円」に上昇すれば「３ピップス上昇」したことになる。このように、呼び値が０．０１である場合は、為替レートは０．０１ずつ変動することになる。
【００４３】
また、このピップスは、円だけに限った単位ではない。つまり、通貨によって最小値の桁は異なるので、全通貨共通としてレートの最小値を１単位＝１ピップスと表している。なお、為替取引の際に出た損益の計算にもピップスが使われるが、この場合は１ロットあたりの１通貨単位の利益（ピップス単位）がいくらかで表わされる（獲得ピップス）。換言すれば、獲得ピップス（利益）は、１ロットあたりの１通貨単位の利益で算出される。例えば、１０ロット（１０万通貨×１０）を「１ドル＝１０４．１５円」で買い（Ａｓｋ）「１ドル＝１０４．１８円」で売った（Ｂｉｄ）場合の利益（獲得ピップス）は「３ピップス」となり、獲得ピップスが１ロットあたりの１通貨単位の利益なので、１００ロット（１０万通貨×１００）を「１ドル＝１０４．１５円」で買い（Ａｓｋ）「１ドル＝１０４．１８円」で売った（Ｂｉｄ）場合の利益（獲得ピップス）も「３ピップス」となる。
【００４４】
なお、上述した「あらかじめ定められた取引単位」としては、プロフィットファクター（ＰＦ）を用いることもできる。プロフィットファクターとは、利益額（勝ち額）を損益額（負け額）で除した値（利益額／損益額）のことである。このプロフィットファクターを用いることにより、それぞれの設定パラメータの勝率を評価することができる。
【００４５】
パラメータ取引成績記憶部３４は、パラメータ取引成績算出部３３により算出された為替取引者別のパラメータ使用継続期間、為替取引成績、取引回数などのパラメータ取引成績のほか、例えば、通貨ペア、為替取引者の名前などのパラメータ取引成績データを記憶するものである。
【００４６】
パラメータ取引成績表示データ生成部３５は、パラメータ取引成績記憶部３４に記憶されているパラメータ取引成績データを加工し、為替取引者のディスプレイ９に表示させるためのパラメータ取引成績表示データを生成するものである。
【００４７】
パラメータ取引成績表示データ送信部３６は、通信網３を介してパラメータ取引成績表示データ生成部３５により生成されたパラメータ取引成績表示データを為替取引者に送信するものである。このようにして、パラメータ取引成績表示データ送信部３６により送信されたパラメータ取引成績表示データにより、為替取引者別のランキングとして、為替取引者が一定期間内に得た為替取引成績や設定パラメータが使用された期間であるパラメータ使用継続期間などがディスプレイ９（パラメータ取引成績表示部）に表示される。
【００４８】
次に、本発明の外国為替取引支援システムに用いられる取引者識別情報、Ｓｔａｔｅｍｅｎｔ情報、及び設定パラメータについて説明する。
【００４９】
図３に示すように、取引者識別情報は、為替取引者を判断するために用いられ、本実施例では、取引者識別情報として、為替取引者の種別番号である「Ｓｅｓｓｉｏｎ（為替取引者種別番号）」と、為替取引者のＩＤ番号である「ＵｓｅｒＩＤ（為替取引者ＩＤ番号）」と、為替取引者の名義である「ａｃｃｏｕｎｔ_ｎａｍｅ（為替取引者名）」と、為替取引者の口座番号である「ａｃｃｏｕｎｔ_ｎｕｍｂｅｒ（為替取引者口座番号）」と、為替取引者が使用しているＦＸ取引業者の名義である「ａｃｃｏｕｎｔ_ｃｏｍｐａｎｙ（為替取引者のＦＸ取引業者名）」と、為替取引者が接続しているサーバ名である「ａｃｃｏｕｎｔ_ｓｅｒｖｅｒ（接続サーバ名）」と、使用している口座がＲｅａｌかＤｅｍｏを判別する「ａｃｃｏｕｎｔ_ｔｙｐｅ（アカウントタイプ）」と、ＦＸ取引業者が発行する為替取引注文番号である「ｏｒｄｅｒ_ｎｕｍｂｅｒ（オーダナンバー）」と、為替取引者の各為替取引の管理番号である「ｍａｇｉｃ_ｎｕｍｂｅｒ（マジックナンバー）」と、取引通貨ペアである「Ｓｙｍｂｏｌ（通貨ペア）」とが用いられている。
【００５０】
そして、取引者ＰＣ４から通信網３を介しサーバ装置２に送信された取引者識別情報のうち、「為替取引者種別番号」と「為替取引者ＩＤ番号」と「為替取引者名」と「為替取引者口座番号」と「為替取引者のＦＸ取引業者名」などが取引者認証部２６により取引者情報記憶部２８に記憶されているものと同一と判断されることにより、特定の為替取引者と認証される。
【００５１】
図４に示すように、Ｓｔａｔｅｍｅｎｔ情報は、為替取引内容を示すもので、本実施例では、サーバ装置２（のデータベース）に書き込まれる毎に増加する「ＩＤ（書き込み処理番号）」と、そのサーバ装置２（のデータベース）に書き込んだ時間である「Ｔｉｍｅ（書き込み時間）」と、為替取引注文が買い（Ａｓｋ）か売り（Ｂｉｄ）かを示す「Ｏｒｄｅｒ_ｔｙｐｅ（オーダ種別）」と、ポジションを開いた時間（世界標準時間に補正）である「Ｏｐｅｎｔｉｍｅ（ポジションオープン時間）」と、ポジションを開いたときの価格である「Ｏｐｅｎｐｒｉｃｅ（ポジションオープン価格）」と、ポジションを決済した時間（世界標準時間に補正）である「Ｃｌｏｓｅｔｉｍｅ（ポジションクローズ時間）」と、ポジションを決済したときの価格である「Ｃｌｏｓｅｐｒｉｃｅ（ポジションクローズ価格）」と、利益方向をプラスとした場合の価格差である「Ｇｅｔｐｉｐｓ（獲得ピップス）」などを用いている。
【００５２】
ここで、Ｇｅｔｐｉｐｓ（獲得ピップス）は、上述したように、１ロットあたりの１通貨単位の利益がいくらかで算出される。また、ポジションとは、一般的に外貨の持高のことをいうが、ここでは為替取引のことである。
【００５３】
なお、本実施例における取引者識別情報を、説明の便宜上、Ｓｔａｔｅｍｅｎｔ情報と別個の情報のように説明したが、取引者識別情報をＳｔａｔｅｍｅｎｔ情報の一部と考えてもよい。
【００５４】
図５に示すように、設定パラメータとして、まず、Ｓｔａｔｅｍｅｎｔ情報および設定パラメータを送信対象とするかを示す「Ｈｏｐｅ_Ｐｏｓｔ_Ｓｔａｔｅｍｅｎｔ（全送信可否）」が用いられている。この「全送信可否」が「ｔｒｕｅ」でない場合は取引者ＰＣ４からサーバ装置２に為替取引者の取引者識別情報と設定パラメータと為替取引結果（Ｓｔａｔｅｍｅｎｔ情報および設定パラメータ）が送信されない。ここでのＳｔａｔｅｍｅｎｔ情報には、取引者識別情報も含まれている。
【００５５】
また、設定パラメータとして、設定パラメータを取引者ＰＣ４から送信するかを示す「Ｈｏｐｅ_Ｐｏｓｔ_Ｐａｒａｍｅｔｅｒｓ（パラメータ送信可否）」が用いられている。この「パラメータ送信可否」が「ｔｒｕｅ」でない場合は、設定パラメータが送信対象とならない。すなわち、取引者ＰＣ４からサーバ装置２に為替取引者の取引者識別情報と為替取引結果のみ（Ｓｔａｔｅｍｅｎｔ情報のみ）が送信される。設定パラメータを販売したくない為替取引者においては、上述した「全送信可否」を「ｔｒｕｅ」に設定したとしても、この「パラメータ送信可否」を「ｔｒｕｅ」に設定しないことで、設定パラメータだけ送信しないように設定することができる。
【００５６】
また、設定パラメータとして、世界標準時間とＦＸ取引業者の取引サーバ時間との時差を自動的に調整する「Ａｕｔｏ_ＵＴＣ_ＯＦＦＳＥＴ（時差自動設定）」と、自動設定しない場合に世界標準時間とＦＸ取引業者のサーバ時間との時差を手入力する「ＵＴＣ_ＯＦＦＳＥＴ（時差）」と、２４時間為替取引運用するかを設定する「ＦｕｌｌＴｉｍｅＴｒａｄｉｎｇ（２４時間運用）」と、為替取引に使用される「ＳｔａｒｔＴｉｍｅ（トレード開始時間）」と「ＳｔｏｐＴｉｍｅ（トレード終了時間）」と、他の為替取引に使用される「ＳｔａｒｔＴｉｍｅ２（トレード開始時間２）」と「ＳｔｏｐＴｉｍｅ２（トレード終了時間２）」が用いられている。
【００５７】
また、設定パラメータとして、オーダ時の価格精度を決める値、すなわち、指定した注文に対して実際に決済した価格との値段差である「Ｓｌｉｐｐａｇｅ（スリップ値）」と、為替取引注文可能な「ＭａｘＳｐｒｅａｄ（最大スプレッド）」が用いられている。「最大スプレッド」は、売り（Ｂｉｄ）と買い（Ａｓｋ）の価格差であり、為替取引注文をする際のＦＸ取引業者の手数料に相当するものである、この「最大スプレッド」が入力された値以上であれば為替取引の注文ができない。
【００５８】
また、設定パラメータとして、「ＴａｒｇｅｔＰｒｏｆｉｔ（目標利益）」と「ＳｔｏｐＬｏｓｓ（損切りライン）」が用いられている。「目標利益」は、利益が出ているピップス数が入力された値に達すると決済が行われるもので、「損切りライン」は、利益が出ていない（マイナス利益）ピップス数が入力された値に達すると決済が行われるものである。また、ポジションをオープンにするときの乖離レベルである「ＫａｉｒｉＬｅｖｅｌ（乖離レベル）」が用いられている。この「乖離レベル」は、現在の為替の値から入力された乖離値になったときにポジションをオープンにさせるものである。
【００５９】
その他、設定パラメータとして、複数の異なる決算システムの中から希望する決算システムを選択する「ＣｌｏｓｅＥｎｇｉｎｅＭｏｄｅ（決算システムの選択）」などが用いられている。
【００６０】
次に、設定パラメータの入力例について説明する。なお、設定パラメータの入力は、取引者ＰＣ４を用いて為替取引者により行われる。
【００６１】
図６に示した実施例では、設定パラメータとして、「Ａｕｔｏ_ＵＴＣ_ＯＦＦＳＥＴ（時差自動設定）」、「ＳｔａｒｔＴｉｍｅ（トレード開始時間）」、「ＳｔｏｐＴｉｍｅ（トレード終了時間）」、「ＳｔａｒｔＴｉｍｅ２（トレード開始時間）」と「ＳｔｏｐＴｉｍｅ２（トレード終了時間）」、「Ｓｌｉｐｐａｇｅ（スリップ値）」、「ＭａｘＳｐｒｅａｄ（最大スプレッド）」、「ＴａｒｇｅｔＰｒｏｆｉｔ（目標利益）」、「ＳｔｏｐＬｏｓｓ（損切りライン）」、「Ｈｏｐｅ_Ｐｏｓｔ_Ｓｔａｔｅｍｅｎｔ（全送信可否）」、「Ｈｏｐｅ_Ｐｏｓｔ_Ｐａｒａｍｅｔｅｒｓ（パラメータ送信可否）」などが設定されている。なお、実際には、もう少し多くのパラメータを設定しているが、説明の便宜上、他のパラメータを省略する。
【００６２】
本実施例では、「Ａｕｔｏ_ＵＴＣ_ＯＦＦＳＥＴ（時差自動設定）」が「Ｔｒｕｅ」になっているので、世界標準時間とＦＸ取引業者の取引サーバ時間との時差を自動的に調整され、「Ｈｏｐｅ_Ｐｏｓｔ_Ｓｔａｔｅｍｅｎｔ（全送信可否）」を「Ｔｒｕｅ」にしているので、取引者ＰＣ４からサーバ装置２に為替取引者の取引者識別情報と設定パラメータと為替取引結果が送信され、「Ｈｏｐｅ_Ｐｏｓｔ_Ｐａｒａｍｅｔｅｒｓ（パラメータ送信可否）」を「Ｔｒｕｅ」にしているので、為替取引者の取引者ＰＣ９に表示された設定パラメータが販売対象となる。
【００６３】
また、「ＳｔａｒｔＴｉｍｅ（トレード開始時間）」が１２時で「ＳｔｏｐＴｉｍｅ（トレード終了時間）」が１９時、「ＳｔａｒｔＴｉｍｅ２（トレード開始時間）」が２０時で「ＳｔｏｐＴｉｍｅ２（トレード終了時間）」が２１時と設定されている。これにより、１２時〜１９時と２０時〜２１時に為替取引が行われる。
【００６４】
また、「Ｓｌｉｐｐａｇｅ（スリップ値）」が５なので、指定した注文に対して実際に決済した価格との値段差（最小単位の価格差）が５まで決済されるように設定されている。例えば、注文が９０．００であれば、８９．９５〜９０．０５の範囲で決済される。「ＭａｘＳｐｒｅａｄ（最大スプレッド）」が１０なので、売り（Ｂｉｄ）と買い（Ａｓｋ）の価格差が１０ピップスまでの為替取引注文が可能となり、「ＴａｒｇｅｔＰｒｏｆｉｔ（目標利益）」が２０なので、利益が出ているピップス数が２０になれば利益確定して決済が行われ、「ＳｔｏｐＬｏｓｓ（損切りライン）」が３００なので、利益が出ていない（利益がマイナス）ピップス数が３００になれば損切りして決済が行われる。
【００６５】
このように、為替取引者により取引者ＰＣ４のディスプレイ９の入力画面を用いて設定パラメータが入力される。そして、その設定パラメータにより設定された内容に従ってＦＸ自動売買ソフトを用いて為替取引が自動的に行われる。
【００６６】
次に、為替取引成績の表示内容について説明する。なお、為替取引者のディスプレイ９には、為替取引者からの閲覧要求信号が通信網３を介してサーバ装置２に送信され、サーバ装置２により該閲覧要求信号の要求指令に基づいたパラメータ取引成績が算出され、そのパラメータ取引成績表示データが為替取引者の取引者ＰＣ４に送信されることにより各為替取引者の為替取引成績などが表示される。
【００６７】
図７（ａ）は、週間（前週１週間）の獲得ピップス順のランキングを表示したものであり、具体的には、名前と取引回数と獲得ピップスとパラメータ継続使用期間が表示され、設定パラメータ自体は表示されない。この獲得ピップスのランキングの各々の設定パラメータを知りたい為替取引者は、購入ボタン（単品購入ボタン３８ａ〜３８ｉ）を選択することによりそれぞれの設定パラメータを購入することができる。また、セット購入ボタン３９を選択することにより、ランキング１位〜１０位までのすべての設定パラメータを購入することができる。なお、購入した設定パラメータは、購入者に対し、郵送またはメールなどで送付される。
【００６８】
図７（ｂ）は、月間（前月１ヶ月）の獲得ピップス順のランキングを表示したものである。図７（ａ）と同様に、獲得ピップスのランキングの各々の設定パラメータを知りたい為替取引者は、購入ボタン（単品購入ボタン４０ａ〜４０ｉ）を選択することによりそれぞれの設定パラメータを購入することができる。また、セット購入ボタン４１を選択することにより、ランキング１位〜１０位までのすべての設定パラメータを購入することができる。
【００６９】
図７（ｃ）及び図７（ｄ）は、図７（ａ）と図７（ｂ）と通貨ペアが異なるのみで、他は同様であるので説明は省略する。
【００７０】
なお、本実施例では、図７（ａ）〜図７（ｄ）の４つの画面をそれぞれ別々にディスプレイ９に一つずつ表示させる態様で説明したが、これに限らず、図７（ａ）〜図７（ｄ）の４つの画面を一つのディスプレイ９に表示させるようにしてもよい。
【００７１】
図８（ａ）〜図８（ｄ）は、図７（ａ）〜図７（ｄ）と獲得ピップスとプロフィットファクターが異なるのみで、その他は同様であるので具体的な説明は省略する。なお、本実施例では、図８（ａ）〜図８（ｄ）の４つの画面をそれぞれ別々にディスプレイ９に一つずつ表示させる態様で説明したが、これに限らず、図８（ａ）〜図８（ｄ）の４つの画面を一つのディスプレイ９に表示させるようにしてもよいのは上記と同様である。
【００７２】
図９（ａ）は、異なる通貨ペアを含めた週間（前週１週間）の獲得ピップス順のランキングを表示したものである。このように、異なる通貨ペアを含めた獲得ピップスを含めた為替取引成績を表示することにより、為替取引者は一元的に設定パラメータを評価することができる。図９（ａ）及び図９（ｂ）は、図７（ａ）及び図７（ｂ）と通貨ペアを混在させているかの違いのみで、その他は同様であるので具体的な説明は省略する。
【００７３】
図９（ｃ）は、異なる通貨ペアを含めた獲得ピップス順のリアルタイムランキング（直近１０日間）を表示したものである。ここで、直近１０日間とは現タイミング（秒単位）以前の１０日間のことである。このように、リアルタイムの獲得ピップスのランキングを表示することにより、為替取引者は最新情報を知ることができる。ただし、このリアルタイムラインキングは、設定パラメータを購入するためのものでなく最新の為替取引情報を知らせるものであることから、購入ボタンは表示されない。
【００７４】
このように、ディスプレイ９に異なる一定期間内に得た為替取引成績者別に、各為替取引者が一定期間内に得た為替取引成績とパラメータ使用継続期間などが表示されるので、短期的に質のよい設定パラメータや長期的に質のよい設定パラメータをそれぞれ区別して評価することができる。これにより、質の高い設定パラメータを使用したいと考える為替取引者は、短期的に質のよい設定パラメータと長期的に質のよい設定パラメータを使用態様に応じてそれぞれ区別して購入などし、その設定パラメータを使用することができるとともに、該設定パラメータを参考として独自に設定パラメータを作成することができる。
【００７５】
また、設定パラメータ購入手段として、各為替取引者別に表示された為替取引成績を得るために使用された設定パラメータを購入するための購入ボタン（単品購入ボタン、セット購入ボタン）を備えているので、質の高い設定パラメータを使用したいと考える為替取引者は、購入ボタンを用いて購入することができる。これにより、為替取引者は質のよい設定パラメータを購入し、その設定パラメータを使用することができるとともに、該設定パラメータを参考として独自に設定パラメータを作成することができる。
【００７６】
次に、本発明の外国為替取引支援システムの流れについて説明する。
【００７７】
図１０に示すように、まず、Ｓ１００において、取引者ＰＣ４からサーバ装置２に取引者情報（取引者識別情報と設定パラメータと為替取引結果）を送信するタイミングであるかが判断される。そして、送信タイミングであると判断された場合はＳ１１０に進み、送信タイミングでないと判断された場合はデータ送信処理が終了する。この取引者情報を送るタイミングは、取引者ＰＣ４側で定められ、その定められた送信タイミングになると、取引者情報を送信することを予定しているすべての為替取引者が所有する取引者ＰＣ４から通信網３を介しサーバ装置２に取引者情報が送信される。
【００７８】
ただし、本実施例では、システムが稼働中であることをサーバ装置２において認識させるために、上述した送信するための取引者情報がない場合であっても、Ｓｔａｔｅｍｅｎｔ情報を除く取引者識別情報及び設定パラメータなどの稼働中確認情報が取引者ＰＣ４からサーバ装置２に送信される（かかる場合は、「Ｈｏｐｅ_Ｐｏｓｔ_Ｓｔａｔｅｍｅｎｔ（全送信可否）」及び「Ｈｏｐｅ_Ｐｏｓｔ_Ｐａｒａｍｅｔｅｒｓ（パラメータ送信可否）」のいずれもが「Ｔｒｕｅ」になっていることが前提となる）。
【００７９】
Ｓ１１０では、取引者ＰＣ４に送信するための取引者情報があるかが判断される。そして、取引者情報があると判断されたときには、Ｓ１２０により、取引者情報が取引者ＰＣ４からサーバ装置２に送信され、取引者情報がないと判断された場合はＳ１６０に進む。取引者ＰＣ４から送信される取引者情報には、為替取引を停止して（ポジションを決済して）から所定時間が経過したものや、為替取引を開始して（ポジションを開いて）から停止する（ポジションを決済する）まで所定時間が経過したものなどは含まれない。
【００８０】
なお、前述したように、設定パラメータとして、「Ｈｏｐｅ_Ｐｏｓｔ_Ｓｔａｔｅｍｅｎｔ（全送信可否）」が選択され、その「Ｈｏｐｅ_Ｐｏｓｔ_Ｓｔａｔｅｍｅｎｔ（パラメータ送信可否）」が「ｔｒｕｅ」でない場合は、取引者ＰＣ４からサーバ装置２に取引者識別情報と設定パラメータと為替取引結果（Ｓｔａｔｅｍｅｎｔ情報および設定パラメータ）が送信されず、また、設定パラメータとして、「Ｈｏｐｅ_Ｐｏｓｔ_Ｐａｒａｍｅｔｅｒｓ（パラメータ送信可否）」が選択され、その「Ｈｏｐｅ_Ｐｏｓｔ_Ｐａｒａｍｅｔｅｒｓ（パラメータ送信可否）」が「ｔｒｕｅ」でない場合は、取引者ＰＣ４からサーバ装置２に設定パラメータが送信されることがない。
【００８１】
Ｓ１３０では、Ｗｅｂシステム処理が行われる。このＷｅｂシステム処理では、各取引者ＰＣ４から送信された取引者情報がサーバ装置２により受信され記憶された後に、サーバ装置２から取引者情報の記憶が完了したことを示すＷｅｂシステム処理完了信号の他、サーバ装置２にて受信された取引者情報がチェックされた結果、為替取引者の取引者情報が以前取引者ＰＣ４から送信された取引者情報と重複している場合や、サーバ装置２へのアクセスエラー（メンテナンスや実行エラーなどによる）の場合などを示すＷｅｂシステム処理エラー信号がその取引者情報を送信した取引者ＰＣ４に送信される。なお、Ｗｅｂシステム処理の詳細は、図１１を用いて後述する。
【００８２】
Ｓ１４０では、取引者ＰＣ４がサーバ装置２から送信されたＷｅｂシステム処理完了信号を所定の時間以内に受信したかが判断される。このＷｅｂシステム処理完了信号は、取引者情報をサーバ装置２に送信した取引者ＰＣ４に送信される。なお、この所定の期間は、取引者ＰＣ４からサーバ装置２に取引者情報を送信してからサーバ装置２から送信されたＷｅｂシステム処理完了信号を取引者ＰＣ４が受信するための十分な時間であり、あらかじめ設定されている。
【００８３】
そして、Ｓ１４０により、所定の時間内に取引者ＰＣ４がＷｅｂシステム処理完了信号を受信したと判断された場合はＳ１１０に進み、サーバ装置２に送信される取引者情報があるかが判断される。取引者ＰＣ４に送信データがあると判断された場合はＳ１２０に進み、取引者ＰＣ４に送信するための取引データがなくなるまでＳ１１０→Ｓ１４０→Ｓ１１０・・・の処理が行われ、Ｓ１１０により取引者ＰＣ４に送信するための送信データがないと判断された場合はＳ１６０に進む。
【００８４】
また、Ｓ１４０により、所定の時間内に取引者ＰＣ４がＷｅｂシステム処理完了信号を受信していないと判断された場合（又は上述したＷｅｂシステム処理エラー信号を受信した場合）はＳ１５０に進み、次回に送信データを送る順番が予約される。すなわち、次回は、Ｗｅｂシステム処理完了信号を受信していない（送信が完了していない）取引者情報からサーバ装置２に送信される。
【００８５】
Ｓ１６０では、取引者ＰＣ４からサーバ装置２に次回取引者情報を送信するタイミングが決定され、その決定された送信タイミングで次回送信予約が行われる。この取引者情報の送信予約は、上述したように取引者ＰＣ４側で行われる。そして、Ｗｅｂシステム処理が終了する。
【００８６】
次に、本発明のデータ送信処理のサブルーチンプログラムであるＷｅｂシステム処理について説明する。
【００８７】
図１１に示すように、Ｗｅｂシステム処理では、まずＳ１３１において、サーバ装置２が取引者情報を受信したかが判断され、取引者情報を受信したと判断された場合はＳ１３２に進み、受信していないと判断された場合はＷｅｂシステム処理が終了する。このサーバ装置２の受信は通信制御部２５により行われる。
【００８８】
なお、設定パラメータとして、「Ｈｏｐｅ_Ｐｏｓｔ_Ｐａｒａｍｅｔｅｒｓ（パラメータ送信可否）」が選択され、その「Ｈｏｐｅ_Ｐｏｓｔ_Ｐａｒａｍｅｔｅｒｓ（パラメータ送信可否）」が「ｔｒｕｅ」でない場合は、取引者ＰＣ４からサーバ装置２に取引者情報として取引者識別情報と為替取引結果のみ送信される（設定パラメータは送信されない）ので、サーバ装置２は、取引者情報として取引者識別情報と為替取引結果のみ受信することになる。
【００８９】
Ｓ１３２では、為替取引者の取引者情報のチェックが行われる。この取引者情報のチェックは、取引者認証部２６により行われ、為替取引者を特定するための認証チェックと、特定の為替取引者と認証された後に、その特定の為替取引者の取引データが以前取引者ＰＣ４から送信された取引データと重複していないかを確認するためのチェック（重複データチェック）が行われる。
【００９０】
具体的には、認証チェックでは、送信された取引者情報に含まれる取引者識別情報と、取引者情報記憶部２８に記憶されている取引者識別情報（「為替取引者種別番号」、「為替取引者ＩＤ番号」、「為替取引者名」、「為替取引者口座番号」、「為替取引者のＦＸ取引業者名」など）と照合して、取引者情報を送信した為替取引者が特定される。送信されたデータ暗号キーが異なる場合や取引者識別情報のいずれかが異なる場合には、スパムデータであると判断される。
【００９１】
また、重複データチェックでは、送信された取引者情報と、取引者情報記憶部２８に記憶されている取引者情報（「為替取引者名」、「為替取引者口座番号」、「為替取引者のＦＸ取引業者名」、「オーダナンバー」、「マジックナンバー」、「通貨ペア」、「ポジションクローズ時間」など）と照合して、設定パラメータ等の他の取引者情報において一致するデータが見つかった場合には重複データであると判断される。
【００９２】
そして、Ｓ１３２により、取引者情報をチェックした結果、取引者情報に問題（エラー）がなければＳ１３３に進み、問題があれば取引者ＰＣ４にＷｅｂシステム処理エラー信号を送信してＷｅｂシステム処理が終了する。ここで、取引者情報に問題がある場合として、特定の為替取引者と認証できない場合や、特定の為替取引者と認証できたが、その特定の為替取引者からの取引者情報と同じ取引者情報を既に受信している場合（重複データエラー）などである。
【００９３】
Ｓ１３３では、取引者情報チェック（Ｓ１３２）で問題がないと判断された取引者情報が取引者情報記憶部２８に記憶される。本実施例では、取引者情報記憶部２８において、複数のテーブルが作成され、各テーブルにそれぞれの為替取引成績が格納されて記憶される。取引者情報記憶部２８への書き込みの際には、送信された取引者情報と取引者情報記憶部２８に記憶されている取引者情報とを照合した結果、取引者情報において一致するデータ（取引者識別情報及びＳｔａｔｅｍｅｎｔ情報）が見つからなかった場合に、新規の取引者情報であるとして取引者情報が順次格納されて記憶される。
【００９４】
特に、本実施例では、取引者情報記憶部２８に取引者情報を記憶する際には、同一の設定パラメータを継続使用している期間を表す情報（パラメータ継続使用期間情報）が取引者識別情報や為替取引成績と関連付けられてテーブルに格納して記憶される。具体的には、まず、取引者情報チェック（Ｓ１３２）にて同一の取引者情報（「為替取引者名」、「為替取引者口座番号」、「為替取引者のＦＸ取引業者名」、「オーダナンバー」、「マジックナンバー」、「通貨ペア」などの取引者識別情報）が見つからなかった場合は、取引者情報記憶部２８にパラメータ継続使用期間情報が「０（ゼロ）」の新たな取引者情報（為替取引成績など）が記憶される。
【００９５】
一方で、取引者情報チェック（Ｓ１３２）にて同一の取引者情報が見つかった場合は、取引者情報記憶部２８に記憶されている設定パラメータの設定内容がこれから記憶しようとしている設定内容と同じかどうかチェックする。その結果、これから記憶しようとしている設定パラメータの設定内容が変更されていた場合は、取引者情報記憶部２８にパラメータ継続使用期間情報が「０（ゼロ）」の新たな取引者情報が記憶される。また、設定パラメータの設定内容が同一であった場合は、取引者情報記憶部２８にパラメータ継続使用期間情報が「取引者情報記憶部２８に記憶されているパラメータ継続使用期間情報に現在までの経過時間を足した時間」の新たな取引者情報が記憶される。
【００９６】
また、前回の記憶（入力）から所定期間経過している場合や、「Ｈｏｐｅ_Ｐｏｓｔ_Ｐａｒａｍｅｔｅｒｓ（パラメータ送信可否）」が「ｔｒｕｅ」でない場合などは、取引者情報記憶部２８にパラメータ継続使用期間情報が「０（ゼロ）」の新たな取引者情報が記憶される。
【００９７】
なお、この取引者情報の受信（Ｓ１３１）や取引者情報のエラーチェック（Ｓ１３２）や取引者情報の記憶（Ｓ１３３）は、すべての取引者ＰＣ４から送信される取引者情報を対象に行われる。したがって、取引者情報記憶部２８には、それぞれの為替取引者の取引者ＰＣ４から送信された取引者情報がすべて記憶される。
【００９８】
Ｓ１３４では、取引者情報が取引者情報記憶部２８に記憶されたことを知らせるためのＷｅｂシステム処理完了信号がＷｅｂシステム処理完了信号送信部２９から通信網３を介し取引者ＰＣ４に送信される。Ｗｅｂシステム処理完了信号は、取引者情報を送信した取引者ＰＣ４に送信される。そして、Ｗｅｂシステム処理が終了する。
【００９９】
次に、為替取引者がパラメータ取引成績を閲覧するためのデータ閲覧処理について説明する。
【０１００】
図１２に示すように、まず、Ｓ２００において、サーバ装置２が閲覧要求信号を受信したかが判断され、閲覧要求信号をサーバ装置２が受信したと判断された場合はＳ２１０に進み、閲覧要求信号をサーバ装置２が受信していないと判断された場合はデータ閲覧処理が終了する。取引者ＰＣ４から閲覧要求信号が送信されたにも関わらずサーバ装置２に受信されない場合としては、例えば、サーバ装置２がメンテナンス中で通信網３より切断されている場合や、通信網３にネットワーク障害が生じている場合などである。
【０１０１】
この閲覧要求信号は、取引者ＰＣ４から送信されるものであり、例えば、為替取引者が画面を立ち上げたタイミングで、又は取引者ＰＣ４の画面上の閲覧要求信号ボタン（図示略）を選択することにより、取引者ＰＣ４からサーバ装置２に閲覧要求信号が送信される。特に、為替取引者が取引者ＰＣ４の画面上の閲覧要求信号ボタン（図示略）を選択して閲覧要求信号を送信する場合には、為替取引者は複数の閲覧要求信号ボタンのうちの一つを選択することができ、その選択された閲覧要求信号に基づいた要求指令がサーバ装置２に送信される。
【０１０２】
なお、「閲覧要求信号ボタン」に関し、上述した本実施例（図７〜図９参照）においては、それぞれの表示画面に対応する閲覧要求信号ボタンを備えることが可能である、さらに、全て表示させるための閲覧要求信号ボタンを備えることも可能である。
【０１０３】
Ｓ２１０では、閲覧要求信号が受信されたサーバ装置２において、取引者情報取得部３２から取引者情報記憶部２８に対し閲覧要求信号の要求指令に応じた取引者情報が要求される。
【０１０４】
Ｓ２２０では、閲覧要求信号の要求指令に応じた取引者情報が取引者情報記憶部２８から取得される。例えば、為替取引者から送信された閲覧要求信号の内容が、通貨ペア別（ＵＳＤＪＰＹ）で、週間獲得ピップス順のランキングを要求する要求指令であれば、取引者情報取得部３２から取引者情報記憶部２８に対し、通貨ペアがＵＳＤＪＰＹの中で、前週１週間分の取引者情報が取得される。
【０１０５】
具体的には、本実施例のＳ２２０では、閲覧要求信号の要求指令があると、上述した取引者情報記憶部２８の各テーブルを一つに繋ぎ合わせた上で、各テーブルに記憶されているデータの中から「Ｈｏｐｅ_Ｐｏｓｔ_Ｐａｒａｍｅｔｅｒｓ（パラメータ送信可否）」が「ｔｒｕｅ」のもの、及び「Ｏｐｅｎｔｉｍｅ（ポジションオープン時間）」が指定期間以内のものが抜き出され、次いで、同じ取引者情報（「為替取引者ＩＤ番号」、「為替取引者口座番号」、「為替取引者のＦＸ取引業者名」、「マジックナンバー」などの取引者識別情報）をグループ化したものが取得される。
【０１０６】
Ｓ２３０では、為替取引者から送信された閲覧要求信号の要求指令に基づいて、取引者情報取得部３２により取得された取引者情報を用いて為替取引成績などのパラメータ取引成績がパラメータ取引成績算出部３３により算出される。具体的には、それぞれの為替取引者別（為替取引者が複数の設定パラメータを使用できる場合は為替取引者の設定パラメータ別）に、パラメータの使用継続期間、獲得ピップス、取引回数、通貨ペアなどが算出される。
【０１０７】
具体的には、本実施例のＳ２３０では、まず、上述したＳ２２０で取得された取引者情報のグループ毎に、稼働中確認情報に基づくテータ数を除いたデータ数、パラメータ継続使用期間情報が「０（ゼロ）」のテータ数、為替取引成績の合計値、パラメータ継続使用期間情報の最大値などが算出される。次いで、かかる算出結果に基づいて、稼働中確認情報に基づくテータ数を除いたデータ数が１未満のグループ（すなわち、為替取引が一度も行われていないグループ）、取引者情報に関連付けられたパラメータ継続使用期間情報が「０（ゼロ）」のテータ数が１以上のグループ（すなわち、設定パラメータを変更したグループ）が排除される。
【０１０８】
そして、Ｓ２２０で取得された取引者情報のグループから上述したグループを排除した残りのグループに対して、例えば、稼働中確認情報に基づくテータ数を除いたデータ数の多い順、為替取引成績の合計値の大きい順、及びパラメータ継続使用期間情報の最大値の大きい順などに並び替えを行い、上位の複数グループの為替取引者ＩＤ番号、稼働中確認情報に基づくテータ数を除いたデータ数、為替取引成績の合計値、及びパラメータ継続使用期間情報の最大値などが取り出される。
【０１０９】
ここでは、稼働中確認情報に基づくテータ数を除いたデータ数が「取引回数」に相当し、為替取引成績の合計値が「獲得ピップス」に相当し、及びパラメータ継続使用期間情報の最大値が「パラメータ継続使用期間」に相当する。
【０１１０】
例えば、為替取引者からの閲覧要求信号の要求指令が通貨ペア別で週間獲得ピップスのランキングを求めるものであれば、その閲覧要求信号の要求指令にしたがって、週間獲得ピップスが大きい順の各為替取引者の名前、取引回数、獲得ピップス、パラメータ継続使用期間がパラメータ取引成績算出部３３により算出される。
【０１１１】
また、為替取引者から送信された閲覧要求信号の内容が、通貨ペア混在で、月間獲得ピップス順のランキングを要求する要求指令であれば、為替取引者別（為替取引者が複数の設定パラメータを使用できる場合は為替取引者の設定パラメータ別）で、通貨ペア混在で、前月１ヶ月間で獲得ピップスが多い順のパラメータ取引成績が算出される。すなわち、通貨ペア混在で、月間獲得ピップスが大きい順の各為替取引者の名前、取引回数、獲得ピップス、パラメータ継続使用期間がパラメータ取引成績算出部３３により算出される。
【０１１２】
なお、本実施例では、為替取引成績としてプロフィットファクター（ＰＦ）も算出される。この算出された為替取引成績は、図７〜図９に示したディスプレイ９に表示される基礎データとなる。
【０１１３】
Ｓ２４０では、Ｓ２３０で算出された為替取引成績などのパラメータ取引成績がパラメータ取引成績記憶部３４に記憶される。このパラメータ取引成績記憶部３４には、パラメータの使用継続期間、獲得ピップス、取引回数、通貨ペア、プロフィットファクター、名前などが、それぞれの為替取引者別（為替取引者が複数の設定パラメータを使用できる場合は為替取引者の設定パラメータ別）に、各為替取引者の設定パラメータに付随して記憶される。そして、Ｓ２５０に進む。
【０１１４】
なお、この場合において、上述したように、為替取引者が複数の設定パラメータを使用して為替取引を行うことができる場合は各々の設定パラメータごとにパラメータ取引成績が保存される。また、上述したように、設定パラメータとして、「Ｈｏｐｅ_Ｐｏｓｔ_Ｐａｒａｍｅｔｅｒｓ（パラメータ送信可否）」が選択され、その「Ｈｏｐｅ_Ｐｏｓｔ_Ｐａｒａｍｅｔｅｒｓ（パラメータ送信可否）」が「ｔｒｕｅ」でない場合は、取引者ＰＣ４からサーバ装置２に設定パラメータが送信されないので、パラメータ取引成績記憶部３４にパラメータ取引成績に対応する設定パラメータは記憶されない。
【０１１５】
Ｓ２５０では、パラメータ取引成績から為替取引者のディスプレイ９に表示させるためのパラメータ取引成績表示データが作成される。そして、Ｓ２６０により、パラメータ取引成績表示データがサーバ装置２から取引者ＰＣ４に送信される。これにより、閲覧要求信号が送信された取引者ＰＣ４のディスプレイ９に閲覧要求信号の要求指令に応じたパラメータ成績順（ランキング別）の各種の内容が表示される（図７〜図９参照）。そして、為替取引者は、興味のある設定パラメータを表示画面上の購入ボタンを選択することにより購入することができる。
【０１１６】
このように、為替取引者のディスプレイ９に為替取引者別（為替取引者が複数の設定パラメータを使用できる場合は為替取引者の設定パラメータ別）に為替取引者が一定期間内に得た為替取引成績とパラメータ使用継続期間などのパラメータ取引成績が表示されるので、ＦＸ自動売買システムを用いて、それぞれの為替取引者が設定パラメータを用いてどれだけ為替取引成績をあげているかを認識することができる。これにより、ＦＸ自動売買システムの設定パラメータのレベルを評価できるとともに、質の高い設定パラメータを使用したいと考える為替取引者は、高い為替取引成績を挙げている設定パラメータを購入などし、その設定パラメータを使用することができるとともに、該設定パラメータを参考として独自の設定パラメータを作成することができる。
【０１１７】
さらに、為替取引者のディスプレイ９に一定期間内に得た為替取引成績が優れている順に、為替取引者別に為替取引成績とパラメータ使用継続期間などのパラメータ取引成績が表示されるので、ＦＸ自動売買システムを用いて、大きな為替取引成績をあげている設定パラメータを容易に認識することができる。これにより、質の高い設定パラメータを使用したいと考える為替取引者は、その設定パラメータを購入などし、その設定パラメータを使用することができるとともに、該設定パラメータを参考として独自の設定パラメータを作成することができる。
【０１１８】
また、パラメータ取引成績算出部３３により算出される為替取引成績が、あらかじめ定められた取引単位当たりの為替取引金銭的利益（獲得ピップスなど）であるので、実際に得た為替取引金銭的利益を参考にして、質の高い設定パラメータを判断できる。これにより、質の高い設定パラメータを使用したいと考える為替取引者は、その設定パラメータを購入などし、その設定パラメータを使用することができるとともに、該設定パラメータを参考として独自に設定パラメータを作成することができる。
【０１１９】
なお、今回開示された実施の形態はすべての点で例示であって制限的なものではないと考えられるべきである。さらに本発明の範囲は、上記した説明ではなく特許請求の範囲の記載によって示され、特許請求の範囲と均等の意味及び範囲内でのすべての変更が含まれることが意図される。
【符号の説明】
【０１２０】
１    外国為替取引支援システム
２    サーバ装置
３    通信網
４    取引者ＰＣ
１４  通信制御装置
２５  通信制御部
２６  取引者認証部
２７  取引者情報認証記憶部
２８  取引者情報記憶部
２９  Ｗｅｂシステム処理完了信号送信部
３２  取引者情報取得部
３３  パラメータ取引成績算出部
３４  パラメータ取引成績記憶部
３５  パラメータ取引成績表示データ生成部
３６  パラメータ取引成績表示データ送信部
【図１】
2012053616.tif 000003
【図２】
2012053616.tif 000004
【図３】
2012053616.tif 000005
【図４】
2012053616.tif 000006
【図５】
2012053616.tif 000007
【図６】
2012053616.tif 000008
【図７】
2012053616.tif 000009
【図８】
2012053616.tif 000010
【図９】
2012053616.tif 000011
【図１０】
2012053616.tif 000012
【図１１】
2012053616.tif 000013
【図１２】
2012053616.tif 000014